(57)【特許請求の範囲】
【請求項１】
循環ポンプ、濾過装置、ヒータ等を循環配管によって接続して、前記循環ポンプによって浴槽内の湯を前記循環配管の末端の吸水口から吸水して、浄化、保温された湯を前記循環配管の末端の出水口から前記浴槽内に再び出水する浴湯清浄化装置において、前記出水口側の循環配管の末端に近接した端部に設けられて、前記循環ポンプからの湯の流れを前記出水口方向を含む多方向に切り替えるバルブと、該多方向に切り替えるバルブと吸水口側方向に湯の流れを形成するために前記吸水側の循環配管の末端に近接した端部とを結ぶ配管（５ｂ）と、操作手段の操作により、前記多方向に切り替えるバルブを作動させて、前記循環ポンプからの湯の流れを前記出水口方向に切り替えて浴槽内の湯を循環させ浄化、保温した後、出水口から浴槽内に再び出水する通常循環モードと、前記多方向に切り替えるバルブを作動させて、前記循環ポンプからの湯の流れを前記配管（５ｂ）方向に切り替えることにより形成される管路洗浄用の閉循環路内で湯を循環させて管路洗浄を行う管路洗浄モードと、になるようにすると共に、前記多方向に切り替えるバルブと前記配管（５ｂ）とを吸排ユニット内に設けて、前記多方向に切り替えるバルブと前記配管（５ｂ）とを前記出水口及び前記吸水口に近接して配置したことを特徴とする浴水洗浄機能付き浴湯清浄化装置。
【請求項２】
循環ポンプ、濾過装置、ヒータ等を循環配管によって接続して、前記循環ポンプによって浴槽内の湯を前記循環配管の末端の吸水口から吸水して、浄化、保温された湯を前記循環配管の末端の出水口から前記浴槽内に再び出水する浴湯清浄化装置において、前記出水口側の循環配管の末端に近接した端部に設けられて、前記循環ポンプからの湯の流れを前記出水口方向と吸水口側循環配管方向とに湯の流れ方向を切り替える多方向に切り替えるバルブと、操作手段の操作により、前記多方向に切り替えるバルブを作動させて、前記循環ポンプからの湯の流れを前記出水口方向に切り替えて浴槽内の湯を循環させ浄化、保温した後、出水口から浴槽内に再び出水する通常循環モードと、前記多方向に切り替えるバルブを作動させて、前記循環ポンプからの湯の流れを前記吸水口側循環配管方向に切り替えることにより形成される管路洗浄用の閉循環路内で湯を循環させて管路洗浄を行う管路洗浄モードと、になるようにすると共に、前記多方向に切り替えるバルブを吸排ユニット内に設けて、前記多方向に切り替えるバルブを前記出水口及び前記吸水口に近接して配置したことを特徴とする浴水洗浄機能付き浴湯清浄化装置。
【請求項３】
前記操作手段の操作により、湯の流れ方向を切り替えて、管路洗浄用の循閉環路内を循環させた湯を前記出水口側の循環配管方向から排水配管方向に切り換えて前記浴槽外に排水する洗浄水排水モードとすることを特徴とする請求項１又は２に記載の浴水洗浄機能付き浴湯清浄化装置。
【発明の詳細な説明】
【０００１】
【産業上の利用分野】
本発明は、濾過装置及び管路内の洗浄が良好にできる浴水洗浄機能付き浴湯清浄化装置に関する。
【０００２】
【従来の技術】
従来の浴湯清浄化装置は、数カ月使用を続けると、濾過装置はもとより管路内に汚れが付着し、流量が低下し浄化性能も低下することになる。そこで、装置内に多方向弁を配備し、濾材の洗浄を行える装置が開発されている。
【０００３】
【発明が解決しようとする課題】
しかるに、どの装置も浴槽と連結する管路の洗浄を行なえず、完全に流量を回復させることは出来なかった。そのため管路を洗浄するために、従来では、別の着脱自在の特殊の洗浄装置を吸水口と出水口に取り付けて洗浄しているが、この場合には、取付，取外しが面倒であったり、或いは、浴槽湯内に洗剤を大量に入れることとなり、既に洗浄された浴槽内の浴湯を洗剤で汚してしまう等不経済な欠点があった。
【０００４】
【課題を解決するための手段】
本発明は、循環ポンプ、濾過装置、ヒータ等を循環配管によって接続して、前記循環ポンプによって浴槽内の湯を前記循環配管の末端の吸水口から吸水して、浄化、保温された湯を前記循環配管の末端の出水口から前記浴槽内に再び出水する浴湯清浄化装置において、前記出水口側の循環配管の末端に近接した端部に設けられて、前記循環ポンプからの湯の流れを前記出水口方向を含む多方向に切り替えるバルブと、該多方向に切り替えるバルブと吸水口側方向に湯の流れを形成するために前記吸水側の循環配管の末端に近接した端部とを結ぶ配管（５ｂ）と、操作手段の操作により、前記多方向に切り替えるバルブを作動させて、前記循環ポンプからの湯の流れを前記出水口方向に切り替えて浴槽内の湯を循環させ浄化、保温した後、出水口から浴槽内に再び出水する通常循環モードと、前記多方向に切り替えるバルブを作動させて、前記循環ポンプからの湯の流れを前記配管（５ｂ）方向に切り替えることにより形成される管路洗浄用の閉循環路内で湯を循環させて管路洗浄を行う管路洗浄モードと、になるようにすると共に、前記多方向に切り替えるバルブと前記配管（５ｂ）とを吸排ユニット内に設けて、前記多方向に切り替えるバルブと前記配管（５ｂ）とを前記出水口及び前記吸水口に近接して配置したことを特徴とする浴水洗浄機能付き浴湯清浄化装置により課題を解決することができた。
さらに本発明は、循環ポンプ、濾過装置、ヒータ等を循環配管によって接続して、前記循環ポンプによって浴槽内の湯を前記循環配管の末端の吸水口から吸水して、浄化、保温された湯を前記循環配管の末端の出水口から前記浴槽内に再び出水する浴湯清浄化装置において、前記出水口側の循環配管の末端に近接した端部に設けられて、前記循環ポンプからの湯の流れを前記出水口方向と吸水口側循環配管方向とに湯の流れ方向を切り替える多方向に切り替えるバルブと、操作手段の操作により、前記多方向に切り替えるバルブを作動させて、前記循環ポンプからの湯の流れを前記出水口方向に切り替えて浴槽内の湯を循環させ浄化、保温した後、出水口から浴槽内に再び出水する通常循環モードと、前記多方向に切り替えるバルブを作動させて、前記循環ポンプからの湯の流れを前記吸水口側循環配管方向に切り替えることにより形成される管路洗浄用の閉循環路内で湯を循環させて管路洗浄を行う管路洗浄モードと、になるようにすると共に、前記多方向に切り替えるバルブを吸排ユニット内に設けて、前記多方向に切り替えるバルブを前記出水口及び前記吸水口に近接して配置したことを特徴とする浴水洗浄機能付き浴湯清浄化装置により課題を解決することができた。
また本発明は、前記操作手段の操作により、湯の流れ方向を切り替えて、管路洗浄用の循閉環路内を循環させた湯を前記出水口側の循環配管方向から排水配管方向に切り換えて前記浴槽外に排水する洗浄水排水モードとすることを特徴とする浴水洗浄機能付き浴湯清浄化装置により課題を解決することができた。
【０００５】
【作用】
本発明は、濾材及び管路の目詰まりにより流量が低下したときに、浴槽内又は浴槽近傍に配備した多方向バルブを管路洗浄モード（クローズドループ）になるように切り換え、一定時間循環させた後、浴槽湯を浴槽外に排出するように多方向バルブを切り換え（洗浄水排水モード）、装置内及び管路内のすすぎを行う。これによって、浴槽水を汚さず、且つ特殊な洗浄装置を必要とせずに濾材及び管路を初期の状態まで復活させることができる。また、管路洗浄剤タンクを設けたタイプでは、その管路中に管路洗浄剤を添加して、その管路を洗浄する。その後、前述した洗浄剤がない場合と同様に多方向バルブを切替えて行なう。
【０００６】
【実施例】
以下、本発明の実施例を図面に基づいて説明する。その第１図は本発明全体の概略構成図を示す。浴槽１の浴槽内壁又は浴室側部箇所に、温水保温浄化装置Ａが設けられている。該温水保温浄化装置Ａは、具体的には、循環ポンプ２と、濾過装置３（吸着剤濾材タンク等）と、浴水を保温するヒータ４とが設けられ、これら相互間は循環配管５にて接続され、該循環配管５の両端部５ａ，５ａは、浴槽１内に位置するように構成されている。
【０００７】
その両端部５ａ，５ａには、吸水口と出水口とを一つにまとめた吸排ユニットＢが設けられている。その吸水口には、大きなゴミや髪の毛等を除去するプレフィルタ６が設けられ、これに端部５ａが接続されている。その端部５ａ箇所の中間には、吸水口側に戻らないように構成した逆止弁７が設けられている。さらに、前記出水口となる端部には、ジェットノズル８が設けられている。
【０００８】
前記吸排ユニットＢ内には、多方向に切替えることができる多方向バルブＶが設けられている。具体的には、４方向に切り換えることができる４方弁として構成されている。４方弁内には４つの弁が備えられ、吸水方向の上部（図１参照）から入った浴水は、４方弁内から、垂下方向なる第１方向（Ｙ方向）にのみ通過するようになったり、或いは、その浴水が４方弁内から第２方向なる左側（Ｌ方向）にのみ通過するようになったり、或いは、その浴水が４方弁内から第３方向なる右側（Ｒ方向）にのみ通過するようになるように構成されている。このような構成の４方弁なる多方向バルブＶは、４方弁に切替え可能であれば、公知の弁を適宜使用することができる。また、その４方弁なる多方向バルブＶは、防水型のものが好ましい。さらに、４方弁なる多方向バルブＶは、吸排ユニットＢ内ではなく浴槽１にできるだけ近い位置に配備することもあり、これでも同等の機能を有する。また、その第３方向なる右側（Ｒ方向）の出口箇所から、浴槽１の外側に伸びる排水配管９が設けられている。
【０００９】
その多方向バルブＶは、手動式のものでも、電磁式のものも存在するが、この発明では、電磁式のもので、電子制御される構成である。その多方向バルブＶは、温水保温浄化装置Ａの本体に設置された操作手段１０（スイッチ）により、通常循環モードＭ１、管路洗浄モードＭ２および洗浄後の洗浄水排水モードＭ３となるように構成されている。それぞれのモードは、中央演算処理装置１７を介して、通常循環モード記憶手段１１、管路洗浄モード記憶手段１２、洗浄水排水モード記憶手段１３にそれぞれ一時記憶され、同時に表示手段１４に表示されるように構成されている（図２参照）。
【００１０】
前記操作手段１０をＯＮした場合には、優先的に通常循環モードＭ１が選択されるように構成されている。また、それぞれのモードに応じて、前記多方向バルブＶの各電磁弁は、電磁弁制御手段１５を介して開閉可能に設けられている。
【００１１】
図１に示すように、前記４方弁なる多方向バルブＶと、循環配管５の逆止弁７を設けた箇所から温水保温浄化装置Ａ寄り箇所とを結ぶ配管５ｂに、管路洗浄剤タンク１６が設けられ、該管路洗浄剤タンク１６の薬品添加口１６ａより管路洗浄剤（例えば、次亜塩素酸ナトリウムや過炭酸ナトリウム等）が、管路洗浄モードＭ２の際に添加できるように構成されている。その管路洗浄剤は、管路洗浄剤添加手段１７（開閉弁等）を介して自動的に添加可能に構成されている。この場合の添加は、管路洗浄剤タンク１７内の管路洗浄剤が、管路洗浄剤添加手段１７が開くと、循環配管５内に徐々に溶け出す。その管路洗浄剤としては、管の種類等に応じて種々の洗浄剤が用いられ、その洗浄時間としては、数分から数十分運転し、終了する。また、図４に示すように、その管路洗浄剤タンク１６及び管路洗浄剤添加手段１７が設けられないこともある。
【００１２】
次に、その作用を図３のフローチャート図及び図１に基づいて説明する。まず、前記操作手段１０をＯＮすると、通常循環モードＭ１が選択され（Ｓ１参照）、浴水は、温水保温浄化装置Ａの循環ポンプ２により浴槽から１のプレフィルタ６を通過し、濾過装置３，ヒータ４を経由して、４方弁なる多方向バルブＶを通過する。すなわち、浴水は、４方弁なる多方向バルブＶ内から、垂下方向なる第１方向（Ｙ方向，図１参照）にのみ通過するようになる。これにより浴水は、再び浴槽１内へジェットノズル８等を通過して供給される（Ｓ２参照）。以上のように、通常流は、図１において、多方向バルブＶにおいて、第１方向なるＹ方向に流れており末端に配備されているジェットノズル８より浴槽１内に噴出され浴槽湯の清浄化を行なう。
【００１３】
次に、前記操作手段１０により、モード変更するか否かを判断し（Ｓ３参照）、管路洗浄モードＭ１を選択した場合には、管路洗浄モードＭ２の状態となり（Ｓ４参照）、浴水は、４方弁内から第２方向なる左側（Ｌ方向，図１参照）にのみ通過するようになり、浴槽１内への浴水の供給はなくなる。このような場合には、浴水は、管路内（循環配管５）内だけを循環する（Ｓ６参照）。この場合、循環ポンプ２の流方向の切替えにより、循環配管５内を浴水が正方向又は逆方向に洗浄ができる。
【００１４】
その管路洗浄モードＭ２の状態で、必要に応じて、管路洗浄剤タンク１６内の管路洗浄剤を添加させるか否かを判断し、添加する必要がある場合にはこれを支持し（Ｓ７参照）、管路洗浄剤添加手段１７を作動させて管路洗浄剤を循環配管５内に添加し（Ｓ８参照）、その洗浄剤にて循環配管５及び温水保温浄化装置Ａ内が洗浄される。
【００１５】
その洗浄が終了するか否かを判断して、終了すると（図３参照）、洗浄水排水モードＭ３の状態となり（Ｓ１０参照）、浴水は、４方弁内から第３方向なる右側（Ｒ方向）にのみ通過するようになり、その洗浄後の汚水は、４方弁なる多方向バルブＶを通過して、浴水を汚さずに浴槽１外へ排水配管９を介して放出される（Ｓ１１参照）、そして洗浄水排水が終了するか否かを判断して、終了すると（Ｓ１２参照）。この洗浄水排水モードＭ３の場合、浴槽１内の湯を利用して温水保温浄化装置Ａ内及び配管のすすぎを行う。このようにして数分間、すすぎ洗浄し、管路洗浄が終了すると多方向バルブＶは、通常の循環モードとなる。
【００１６】
【発明の効果】
請求項１の発明においては、温水保温浄化装置内及び配管等に汚れが付着しても、濾過装置３及び管路内の清浄が良好にでき、その洗浄水を排水できる。特に、本発明では、切替え手段を操作することのみで洗浄を行なうことができ、従来のように、別の着脱自在の特殊の洗浄装置を吸水口と出水口に取り付けて洗浄しているが、この場合には、取付，取外しが面倒であったことを本発明にて防止できる利点がある。
【００１７】
請求項２の発明においては、管路洗浄剤の洗浄作用にて配管中や装置内の汚れを極めて良好に取り去ることができるし、請求項３の発明では、洗浄後の排水を浴槽１外に流出させることで、浴槽１内には洗剤は一切流入せず、従来のように、既に洗浄された浴槽内の浴湯を洗剤で汚してしまう等不経済な欠点を防止できる。
【図面の簡単な説明】
【図１】本発明の略示構成図
【図２】本発明のブロック図
【図３】本発明のフローチャート図
【図４】本発明の別の実施例の略示構成図
【符号の説明】
Ｖ…多方向バルブ
Ｍ１…通常循環モード
Ｍ２…管路洗浄モード
Ｍ３…洗浄水排水モード
１…浴槽
２…循環ポンプ
３…濾過装置
９…排水配管
１０…操作手段
１６…管路洗浄剤タンク
１６ａ…薬品添加口
１７…管路洗浄剤添加手段
【図１】
0003886166.tif 000002
【図２】
0003886166.tif 000003
【図３】
0003886166.tif 000004
【図４】
0003886166.tif 000005